(57)【特許請求の範囲】
【請求項１】
開封時に容器から取り外されるキャップ本体と、
前記開封時に前記容器がある側に取り残されるリングと、
前記キャップ本体や前記リングと別体で構成され、前記キャップ本体や前記リングに取り付けられる、若しくはカバーが前記キャップ本体の側面や上面を覆うことにより形成され、前記キャップ本体や前記リングに設けられる通路部とを備え、
前記通路部は、検知部材を収納するものであり、
前記通路部は、前記リングと前記キャップ本体に設けられる脚部を有し、
少なくとも前記脚部の前記キャップ本体に設けられる上部と、前記上部と前記脚部の前記リングに設けられる下部との間の中間部とは、前記通路部における、内部に気体と前記検知部材の少なくとも一方を通す通路によって連通され、
前記脚部の中間部が破断した場合に、前記通路部に設けられた前記検知部材の状態が変化することを特徴とする、前記容器の抽出口に取り付けられるキャップ。
【請求項２】
前記通路部は、前記キャップ本体や前記リングと別体で構成されるものであり、
前記検知部材は、紐状の部材で構成され、
前記脚部は、前記紐状の前記検知部材を覆う状態で漉いた紙状部材で構成されることを特徴とする請求項１に記載のキャップ。
【請求項３】
前記検知部材は、紐状の弾性部材で構成され、伸ばした状態で、端部が前記通路部に固定され、前記中間部の破断により収縮することを特徴とする請求項２に記載のキャップ。
【請求項４】
前記通路部は、前記カバーと前記キャップ本体とで形成されるものであり、
前記検知部材は、弾性部材であって、伸ばした状態で、端部が前記通路部に固定され、前記中間部の破断により収縮することを特徴とする請求項１に記載のキャップ。
【請求項５】
前記通路部は、前記カバーと前記キャップ本体とで形成されるものであり、
前記カバーは、内側の検知部材が見える程度の透過性を有することを特徴とする請求項１に記載のキャップ。
【請求項６】
前記通路部は、前記キャップ本体や前記リングと別体で構成されるものであり、
前記検知部材は、弾性部材であって、伸ばした状態で、端部が前記通路部に固定され、前記中間部の破断により収縮するものであり、
前記脚部は、前記弾性部材を覆う皮膜部材であることを特徴とする請求項１に記載のキャップ。
【請求項７】
開封時に容器から取り外されるキャップ本体と、前記開封時に前記容器がある側に取り残されるリングと、前記キャップ本体や前記リングと別体で構成され、前記キャップ本体や前記リングに取り付けられる、若しくはカバーが前記キャップ本体の側面や上面を覆うことにより形成され、前記キャップ本体や前記リングに設けられる通路部とを有するキャップの製造方法であって、
前記通路部は、検知部材を収納するものであり、
前記通路部は、前記リングと前記キャップ本体に設けられる脚部を有し、
少なくとも前記脚部の前記キャップ本体に設けられる上部と、前記上部と前記脚部の前記リングに設けられる下部との間の中間部とは、前記通路部における、内部に気体と前記検知部材の少なくとも一方を通す通路によって連通され、
前記脚部の中間部が破断した場合に、前記通路部に設けられた前記検知部材の状態が変化するものであり、
前記通路部は、前記キャップ本体や前記リングと別体で構成されるものであり、
前記通路部は、前記脚部と、底部と側部を有する筒形状で、上部は開口し、前記キャップ本体の上面に取り付けられる表示室と、前記表示室に少なくとも一部が載置若しくは固定される前記検知部材と、前記表示室の上部の開口を塞ぐために使用され、前記表示室の底部と対向する部分が透過部材で構成され、取り付け時に嵌め殺しで前記表示室と係合する蓋部を有し、
前記脚部と前記表示室は、前記キャップ本体を構成する材料よりも融点が高い材料で構成され、
前記脚部と前記表示室が金型に取り付けられた状態で、前記キャップ本体と前記リングを構成する材料であって溶融したものを流し込むことで、前記キャップ本体と前記リングが形成される前工程と、
前記キャップ本体と前記リングが形成された後に、前記蓋部を前記表示室に取り付ける後工程とを備えることを特徴とするキャップの製造方法。
【請求項８】
前記通路部は、前記キャップ本体や前記リングと別体で構成されるものであり、
前記通路部を取り付けない状態で、前記キャップ本体と前記リングを形成し、形成後に前記通路部がはめ込みによって取り付けられることを特徴とする請求項１に記載のキャップ。
【請求項９】
前記通路部が前記キャップ本体や前記リングと別体で構成される場合、前記通路部は、前記通路を有する管状部材で構成されることを特徴とする請求項１に記載のキャップ。
【請求項１０】
前記検知部材は、自身と接触する空気に含まれる特定の物質の濃度に応じて色が変化するものであり、
前記通路部は、前記脚部と、底部と側部を有する筒形状で、上部は開口し、前記キャップ本体の上面に取り付けられる表示室と、前記表示室に少なくとも一部が載置若しくは固定される前記検知部材と、前記表示室の上部の開口を塞ぐために使用され、前記表示室の底部と対向する部分が透過部材で構成され、取り付け時に嵌め殺しで前記表示室と係合する蓋部を有し、
前記蓋部の前記表示室と対向する部分に、外部からの光を反射する部材が設けられていることを特徴とする請求項１に記載のキャップ。
【請求項１１】
前記検知部材は、自身と接触する空気に含まれる特定の物質の濃度に応じて色が変化する溶剤が染みこんだシート状のものであることを特徴とする請求項１に記載のキャップ。
【請求項１２】
前記通路部が前記キャップ本体や前記リングと別体で構成される場合、前記通路部は、前記通路を有する管状部材で構成され、
前記脚部の前記中間部は、前記脚部の上部や下部に比べて細く形成されることを特徴とする請求項１に記載のキャップ。
【請求項１３】
上部と、前記中間部と、前記下部とは、前記通路によって連通されることを特徴とする請求項１に記載のキャップ。
【発明の詳細な説明】
【技術分野】
【０００１】
本発明は、容器の抽出口に取り付けられるキャップに関し、特に、開封済みであるか否かが容易に判別出来るキャップに関する。
【背景技術】
【０００２】
特許文献１などで、不正開封防止機能を有するキャップが提案されている。かかるキャップは、開封時に、キャップ本体とリングとの連結部を介した接続状態が解除される。一度連結部を介した接続状態が解除されると、再度キャップ本体を抽出口に取り付けても、キャップ本体とリングとの間隔が破断前と変化する。このため、よく見れば、キャップ本体が開封済みのものであるかどうかを知ることは出来る。
【先行技術文献】
【特許文献】
【０００３】
【特許文献１】特開２００８−２８５２０８号公報
【発明の概要】
【発明が解決しようとする課題】
【０００４】
しかしながら、その変化量は大きいものではなく、注意してみなければ開封済みであることを気づかないことも考えられる。【０００５】
したがって本発明の目的は、開封済みか否かを簡単に見分けることが可能なキャップを提供することである。
【課題を解決するための手段】
【０００６】
本発明に係る容器の抽出口に取り付けられるキャップは、開封時に容器から取り外されるキャップ本体と、開封時に容器がある側に取り残されるリングと、キャップ本体やリングと別体で構成され、若しくはカバーがキャップ本体の側面や上面を覆うことにより形成され、キャップ本体やリングに設けられる通路部とを備え、通路部は、リングとキャップ本体に設けられる脚部を有し、少なくとも脚部のキャップ本体に設けられる上部と、上部と脚部のリングに設けられる下部との間の中間部とは連通され、脚部の中間部が破断した場合に、通路部に設けられた検知部材の状態が変化する。【０００７】
検知部材の状態（色または形状）を見れば、開封済みか否かを簡単に見分けることが可能になる。【０００８】
また、破断させる通路部を、キャップ本体やリングと別体で構成する、若しくはキャップ本体とカバーとの間に形成するので、キャップ本体などに穴を空けて空気通路などを形成する形態に比べて、簡単にキャップを作成することが可能になる。【０００９】
好ましくは、通路部は、キャップ本体やリングと別体で構成されるものであり、検知部材は、紐状の部材で構成され、脚部は、紐状の検知部材を覆う状態で漉いた紙状部材で構成される。【００１０】
紐状部材を覆うように紙料を流し込み、紐状部材の周りに紙層を形成し、当該紙層を脚部とすることで、容易に検知部材と脚部を形成することが出来る。【００１１】
紐状部材は、フッ素ゴムやシリコンなど弾力性があるもので構成される形態に限らず、繊維を束ねたもので構成され、伸び縮みが殆ど無い形態であってもよい。この場合は、中間部の破断により、紐状部材も、紐状部材の一部が、中間部から露出することになり、露出した紐状部材の存在で、開封済みであることが分かる。【００１２】
さらに好ましくは、検知部材は、紐状の弾性部材で構成され、伸ばした状態で、端部が前記通路部に固定され、中間部の破断により収縮する。【００１３】
また、好ましくは、通路部は、カバーとキャップ本体とで形成されるものであり、検知部材は、弾性部材であって、伸ばした状態で、端部が通路部に固定され、中間部の破断により収縮する。【００１４】
検知部材に化学反応があったか否かで、開封済みか否かを判断する形態に比べて、劣化による誤動作（未開封なのに変色する）可能性が低いメリットがある。【００１５】
また、好ましくは、通路部は、カバーとキャップ本体とで形成されるものであり、カバーは、内側の検知部材が見える程度の透過性を有する。【００１６】
カバーに、窓などの部材を設けずとも、検知部材の状態変化を視認することが可能になる。【００１７】
また、好ましくは、通路部は、キャップ本体やリングと別体で構成されるものであり、検知部材は、弾性部材であって、伸ばした状態で、端部が通路部に固定され、中間部の破断により収縮するものであり、脚部は、弾性部材を覆う皮膜部材である。【００１８】
検知部材を被覆するだけで、通路部の脚部を形成することが可能になる。【００１９】
また、好ましくは、通路部は、キャップ本体やリングと別体で構成されるものであり、通路部は、脚部と、底部と側部を有する筒形状で、上部は開口し、キャップ本体の上面に取り付けられる表示室と、表示室に少なくとも一部が載置若しくは固定される検知部材と、表示室の上部の開口を塞ぐために使用され、表示室の底部と対向する部分が透過部材で構成され、取り付け時に嵌め殺しで表示室と係合する蓋部を有し、脚部と表示室は、キャップ本体を構成する材料よりも融点が高い材料で構成され、脚部と表示室が金型に取り付けられた状態で、キャップ本体とリングを構成する材料であって溶融したものを流し込むことで、キャップ本体とリングが形成され、蓋部の表示室への取り付けは、キャップ本体とリングが形成された後で行われる。【００２０】
溶融材料の凝固時に、通路部がキャップ本体などと密着出来るので、通路部の一部から空気が漏れにくいし、キャップ本体をリングから取り外す際に、通路部がキャップ本体などから外れにくい。【００２１】
また、通路部のうち、脚部の中間部と表示室の上面を除く部分について、キャップ本体などに埋め込まれる形で形成することも出来、この場合には、キャップ本体を取り外す際に、通路部がキャップ本体などから更に外れにくい。【００２２】
予め形成された通路部（検知部材や蓋部を除く）を金型に取り付けた状態で、キャップ本体やリングを構成する材料で溶融したものを流し込んで形成するので、通路部を設けないキャップと略同じ形状の金型を流用することが出来る。【００２３】
また、好ましくは、通路部は、キャップ本体やリングと別体で構成されるものであり、通路部を取り付けない状態で、キャップ本体とリングを形成し、形成後に通路部がはめ込みによって取り付けられる。【００２４】
この場合には、通路部がキャップ本体などの射出成形時の高温下にさらされないため、通路部を融点が低い材料で構成されることも可能である。【００２５】
また、好ましくは、検知部材は、自身と接触する空気に含まれる特定の物質の濃度に応じて色が変化するものである。【００２６】
さらに好ましくは、通路部は、脚部と、底部と側部を有する筒形状で、上部は開口し、キャップ本体の上面に取り付けられる表示室と、表示室に少なくとも一部が載置若しくは固定される検知部材と、表示室の上部の開口を塞ぐために使用され、表示室の底部と対向する部分が透過部材で構成され、取り付け時に嵌め殺しで表示室と係合する蓋部を有し、蓋部の表示室と対向する部分に、外部からの光を反射する部材が設けられている。【００２７】
外部からの光が表示室に入りにくくなり、光に基づく検知部材の劣化が起きにくくなる。【００２８】
また、好ましくは、検知部材は、自身と接触する空気に含まれる特定の物質の濃度に応じて色が変化する溶剤が染みこんだシート状のものである。【００２９】
溶剤の一部が脚部などを通って外部に漏れ出るのを防ぐことが可能になる。【００３０】
また、好ましくは、脚部の中間部は、脚部の上部や下部に比べて細く形成される。【００３１】
キャップ本体（若しくはカバー）を回転させた時に、中間部で破断を起きやすく出来る。
【発明の効果】
【００３２】
以上のように本発明によれば、開封済みか否かを簡単に見分けることが可能なキャップを提供することができる。
【図面の簡単な説明】
【００３３】
【図１】第１実施形態におけるキャップで、酸素検知剤や蓋部が取り付けられる前の斜視図である。
【図２】第１実施形態におけるキャップで、酸素検知剤や蓋部が取り付けられる前の断面図である。
【図３】第１状態におけるキャップと抽出口の位置関係を示す斜視図である。
【図４】第１状態におけるキャップと抽出口の位置関係を示す断面図である。
【図５】第２部材（通路部）の斜視図である。
【図６】第２部材（通路部）の断面図である。
【図７】脚部と表示室とが接続される前の斜視図である。
【図８】第１金型の断面図である。
【図９】第２金型〜第４金型の断面図である。
【図１０】キャップ本体などの溶融材料を投入した状態の断面図で、脚部が見える部分を示すものである。
【図１１】キャップ本体などの溶融材料を投入した状態の断面図で、脚部が見えない部分を示すものである。
【図１２】脚部がキャップ本体などに埋め込まれた場合のキャップで、酸素検知剤や蓋部が取り付けられる前の斜視図である。
【図１３】成形後の第１部材（キャップ本体）などに第２部材（通路部）を取り付ける形態におけるキャップで、酸素検知剤や蓋部が取り付けられる前の斜視図である。
【図１４】第２状態におけるキャップと抽出口の位置関係を示す斜視図である。
【図１５】第２状態におけるキャップと抽出口の位置関係を示す断面図である。
【図１６】第３状態におけるキャップと抽出口の位置関係を示す斜視図である。
【図１７】第３状態におけるキャップと抽出口の位置関係を示す断面図である。
【図１８】紐状部材を検知部材として用いた場合の、第１状態におけるキャップと抽出口の位置関係を示す断面図である。
【図１９】紐状部材を検知部材として用いた場合の、第２状態におけるキャップと抽出口の位置関係を示す断面図である。
【図２０】紐状部材を検知部材として用いた場合の、第３状態におけるキャップと抽出口の位置関係を示す断面図である。
【図２１】成形後の第１部材（キャップ本体とリング）に第２部材（カバー）を取り付ける第２実施形態におけるキャップの斜視図である。
【図２２】第２実施形態における、第１部材（キャップ本体とリング）に、第２部材（カバー）を取り付ける前の断面図である。
【図２３】第２実施形態における、第１部材（キャップ本体とリング）に、第２部材（カバー）を取り付けたキャップを、容器の抽出口に取り付ける前の断面図である。
【図２４】紐状部材（検知部材）を覆う状態で漉いた紙状部材で脚部を構成した場合の、紐状部材と脚部の断面図である。
【発明を実施するための形態】
【００３４】
以下、第１実施形態について、図を用いて説明する。第１実施形態におけるキャップ１０は、キャップ本体１１、キャップ本体１１の下部に設けられキャップ本体１１から切断可能な複数の連結部１３、連結部１３を介してキャップ本体１１と接続されているリング１５、キャップ本体１１やリング１５に取り付けられる通路部１７を有し、ペットボトルなどの飲料を収容する容器の抽出口５０に取り付けられる。第１実施形態では、キャップ本体１１とリング１５が第１部材を形成し、通路部１７が第２部材を形成する。
【００３５】
キャップ本体１１の内側面には、抽出口５０の外周面にある外ネジ部５１に対応した内ネジ部１１ａが設けられる。
【００３６】
連結部１３は、キャップ本体１１の側部の下端部と、リング１５の側部の上端部とを、複数箇所で接続し、キャップ本体１１をリング１５から取り外す際に、破断する。第１実施形態では、キャップ本体１１とリング１５とが連結部１３を介して接続される形態を説明するが、連結部１３を省略し、脚部１７ａだけを介してキャップ本体１１やリング１５が接続される形態であってもよい。
【００３７】
リング１５は、リング内周側に係止手段として複数の係止フラップ１５ａを有する。係止フラップ１５ａはリング１５の下縁からリング１５の中心に向けて張り出している。
【００３８】
抽出口５０に取り付けられる前は、キャップ本体１１とリング１５とが、連結部１３を介して接続している（第１状態、図３、図４参照）。
【００３９】
通路部１７は、キャップ本体１１の下部からキャップ本体１１の上部に連通する通路であり、キャップ本体１１とリング１５とが連結部１３を介して接続されている（第１状態、第２状態）間は封止される。通路部１７は、脚部１７ａと、表示室１７ｂと、酸素検知剤１７ｃと、蓋部１７ｄを有する。
【００４０】
脚部１７ａは、略Ｌ字形状で、内部に通路を有する管状部材であり、水平方向に延びる部分がキャップ本体１１の上面に取り付けられ、鉛直方向に延びる部分がキャップ本体１１やリング１５の側面に取り付けられる。脚部１７ａは、封止状態が解除された時に、空気通路に空気が流れやすくなるように、２以上設けられる。第１実施形態では、４つの脚部１７ａが設けられる形態を説明する。また、第１実施形態では、脚部１７ａの断面が略矩形形状を有するものを説明するが、管状である限り、円形など他の形状であってもよい。
【００４１】
脚部１７ａのキャップ本体１１に取り付けられる部分（上部１７ａ１）は、キャップ本体１１に取り付けられた時にキャップ本体１１から外側や内側に突出しないように、キャップ本体１１の上部や側部の厚さよりも薄く形成されることが望ましい。
【００４２】
脚部１７ａのキャップ本体１１に取り付けられる部分（上部１７ａ１）とリング１５に取り付けられる部分（下部１７ａ２）の間の部分（中間部１７ａ３）は、キャップ取り外し時に、かかる部分が容易に破断出来るように、絞りなどで、他の部分に比べて細く形成されるのが望ましい。少なくとも、脚部１７ａの上部１７ａ１と中間部１７ａ３は連通し、本第１実施形態では、上部１７ａ１、中間部１７ａ３、下部１７ａ２が連通する形態を説明する。
【００４３】
脚部１７ａの中間部１７ａ３は、第１実施形態のように、連結部１３に取り付けられる形態でも良いし、連結部１３とは別体で構成される形態であってもよい。
【００４４】
脚部１７ａのリング１５に取り付けられる部分（下部１７ａ２）は、リング１５に取り付けられた時にリング１５から外側や内側に突出しないように、リング１５の厚さよりも薄く形成されることが望ましい。
【００４５】
脚部１７ａは、金型に溶融した材料を流し込んで成形する射出成形で形成しても良いし、直線の管状部材をＬ字形状に折り曲げ、中間部１７ａ３に相当する部分について絞りを加えることにより形成しても良い。後述するように、検知部材として、弾性部材（紐状部材１７ｅ）を用いる場合には、当該弾性部材を覆う皮膜部材を脚部１７ａとしても良い。
【００４６】
表示室１７ｂは、底部と側部を有する筒形状で、上部は開口し、キャップ本体１１の上面に取り付けられる。表示室１７ｂの底部には、酸素検知剤１７ｃが載置又は固定される。表示室１７ｂの側部は、脚部１７ａと連通する部分が開口する。
【００４７】
酸素検知剤１７ｃは、自身と接触する空気に含まれる酸素の濃度に応じて色が変化する。例えば、シクロデキストリン類、可逆変色性有機色素、及び還元剤を含む構成が挙げられる。第１状態、第２状態では、封止されているため、通路部１７の内部における空気の酸素濃度の変化は無い。第３状態では、中間部１７ａ３の破断によって封止が解除されて開放されているため、通路部１７の脚部１７ａの上部１７ａ１や表示室１７ｂに空気が流れ、表示室１７ｂにおける空気の酸素濃度が変化し、酸素検知剤１７ｃの色が変化する。酸素検知剤１７ｃの色は、蓋部１７ｄを介して視認することが可能である。
【００４８】
図１〜図４、図１２〜図１５では、例として、色変化前の酸素検知剤１７ｃを菱形格子縞で示し、図１６、図１７では、色変化後の酸素検知剤１７ｃを市松模様で示す。
【００４９】
酸素検知剤１７ｃは、溶剤そのもの（錠剤）であってもよいが、粉など溶剤の一部が上部１７ａ１などを通って外部に漏れ出るのを防ぐため、溶剤を紙や樹脂などの固体に染みこませたシート状のものを用いる形態であってもよい。
【００５０】
蓋部１７ｄは、表示室１７ｂの上部の開口を塞ぐために使用され、取り付け時に嵌め殺しで表示室１７ｂと係合するような係合部材、例えば、表示室１７ｂの側面における脚部１７ａと接続する部分の開口に係合する突起部１７ｄ１を有する。
【００５１】
表示室１７ｂに固定した酸素検知剤１７ｃの色が蓋部１７ｄを介して視認出来るように、蓋部１７ｄの表示室１７ｂの底部と対向する部分は、透過部材で構成される。
【００５２】
ただし、酸素検知剤１７ｃが、光によって劣化（変色）する場合には、ハーフミラーなど、外部からの光が表示室１７ｂの内部に透過しにくい（外部からの光の一部を反射する）部材で蓋部１７ｄを構成する、若しくは当該光を透過しにくい部材を蓋部１７ｄの上面若しくは下面に貼り付ける形態であってもよい。これにより、外部からの光が表示室に入りにくくなり、光に基づく検知部材の劣化が起きにくくなる。
【００５３】
脚部１７ａと表示室１７ｂは、射出成形など金型を使ってキャップ本体１１や連結部１３やリング１５を形成する際に、キャップ本体１１の材料で溶融したものと接触しても変形しないように、耐熱性が高い（少なくとも、キャップ本体１１の材料よりも融点が高い）材料で構成される。例えば、耐熱性が高い樹脂や金属が考えられる。
【００５４】
なお、脚部１７ａが内側の検知部材（酸素検知剤１７ｃや後述する紐状部材１７ｅ）が見える程度の透過性を有する場合には、脚部１７ａから検知部材の状態変化（酸素検知剤１７ｃの色変化や、紐状部材１７ｅの収縮度合い）が確認出来るため、表示室１７ｂの上面の窓（蓋部１７ｄ）を省略することも出来る。
【００５５】
脚部１７ａと表示室１７ｂは、一体で成形されてもよいし、図７のように別体で構成され、それぞれの部材の完成後につなぎ合わせる形態であってもよい。
【００５６】
キャップ１０は、射出成形など金型を使って形成される。具体的には、予め形成された通路部１７（酸素検知剤１７ｃや蓋部１７ｄを除く）を第１金型３１〜第４金型３４で囲まれた空間で金型のいずれかに取り付けた状態で、キャップ本体１１や連結部１３やリング１５を構成する材料で溶融したもの（図１０や図１１の黒色で表示）を流し込んで形成される（図８〜図１１参照）。脚部１７ａの下部１７ａ２が上部１７ａ１まで連通している場合には、溶融材料が脚部１７ａの下部１７ａ２の端部に進入しないように当該端部をシールしておくのが望ましい。
【００５７】
酸素検知剤１７ｃの固定（若しくは載置）や、蓋部１７ｄの嵌め殺しは、脚部１７ａや表示室１７ｂがキャップ本体１１やリング１５に取り付けられた後に行われる。このため、酸素検知剤１７ｃは、射出成形時の高温下にさらされることはない。蓋部１７ｄが表示室１７ｂの上部に取り付けられると、通路部１７は、リング１５で下部が封止され、蓋部１７ｄで上部が封止される。
【００５８】
酸素検知剤１７ｃを表示室１７ｂに固定（若しくは載置）する工程や、蓋部１７ｄを表示室１７ｂに取り付ける工程は、通路部１７を真空状態にする、あるいは通路部１７に窒素を充填するなど、通路部１７内の酸素濃度が低くなるような状態で、行われるのが望ましい。この場合、封止の解除前と解除後とで、通路部１７における酸素濃度の変化度合いが大きくなり、酸素検知剤１７ｃの色変化が視認しやすくなる。
【００５９】
溶融材料の凝固時に、通路部１７がキャップ本体１１などと密着出来るので、通路部１７の一部から空気が漏れにくいし、キャップ本体１１をリング１５から取り外す際に、通路部１７がキャップ本体１１などから外れにくい。
【００６０】
また、通路部１７のうち、脚部１７ａの中間部１７ａ３と表示室１７ｂの上面を除く部分について、キャップ本体１１などに埋め込まれる形で形成することも出来、この場合には、キャップ本体１１を取り外す際に、通路部１７がキャップ本体１１などから更に外れにくい（図１２参照）。
【００６１】
ただし、通路部１７を取り付けない状態で、キャップ本体１１と連結部１３とリング１５を射出成形などで形成し（図１３参照）、形成後に通路部１７をはめ込みなどによって取り付ける形態であってもよい。この場合には、通路部１７がキャップ本体１１などの射出成形時の高温下にさらされないため、通路部１７を融点が低い材料で構成されることも可能である。
【００６２】
キャップ本体１１とリング１５とが連結部１３を介して接続した状態で、キャップ本体１１の内ネジ部１１ａを抽出口５０の外ネジ部５１に近づけキャップ取り付け方向に回転させると、キャップ本体１１の内ネジ部１１ａが、抽出口５０の外ネジ部５１に係合し、キャップ１０が抽出口５０に取り付けられる（第２状態、図１４、図１５参照）。
【００６３】
取り付け後、キャップ本体１１を、キャップ取り外し方向に回転させると、連結部１３を介して接続されたリング１５もキャップ本体１１と一緒に抽出口５０から取り外される方向に回転するが、係止フラップ１５ａが、抽出口５０から径方向に突出したリブ５３に係止し、係止後も、キャップ本体１１のキャップ取り外し方向の回転を続けると、連結部１３や中間部１７ａ３が破断し、連結部１３の一部を含むキャップ本体１１がリング１５から取り外され、中間部１７ａ３の一部を含む通路部１７の脚部１７ａの上部１７ａ１が下部１７ａ２から取り外される。連結部１３の残り部分を含むリング１５と、中間部１７ａ３の残り部分を含む下部１７ａ２は、抽出口５０に取り付けられた状態で残される（第３状態、図１６、図１７参照）。
【００６４】
開封時に、リング１５などが抽出口５０に取り付けられた状態で残され、キャップ本体１１などが抽出口５０から取り外されることにより、キャップ本体１１とリング１５との連結部１３を介した接続状態や、脚部１７ａの上部１７ａ１と下部１７ａ２との中間部１７ａ３を介した接続状態が解除されると（第３状態）、通路部１７の封止状態が解除され、中間部１７ａ３の破断箇所から上部１７ａ１を通って表示室１７ｂに空気が流れる状態になる。特に、酸素検知剤１７ｃを表示室１７ｂに固定（若しくは載置）する工程や、蓋部１７ｄを表示室１７ｂに取り付ける工程において、通路部１７を真空状態にした状態（若しくは気圧が低い状態）で封止が行われると、封止状態の解除により、圧力差で、上部１７ａ１や表示室１７ｂなどに空気が流れやすくなる。
【００６５】
キャップ本体１１とリング１５とは、一度連結部１３を介した接続が切れると、キャップ本体１１を抽出口５０に取り付けても、キャップ本体１１とリング１５との間隔が破断前と変化する。このため、よく見れば、キャップ本体１１が開封済みのものであるかどうかを知ることは出来る。
【００６６】
しかしながら、その変化量は大きいものではなく、注意してみなければ開封済みであることを気づかないことも考えられる。これに対して、第１実施形態では、キャップ本体１１の上面に設けられた蓋部１７ｄから見える酸素検知剤１７ｃの色状態（色の変化）を見れば、開封済みか否かを簡単に見分けることが可能になる。
【００６７】
また、第１実施形態では、破断させる通路部１７を、キャップ本体１１やリング１５と別体で構成するので、キャップ本体１１などに穴を空けて空気通路などを形成する形態に比べて、簡単にキャップ１０を作成することが可能になる。
【００６８】
特に、予め形成された通路部１７（酸素検知剤１７ｃや蓋部１７ｄを除く）を第１金型３１〜第４金型３４に囲まれた空間でいずれかの金型に取り付けた状態で、キャップ本体１１や連結部１３やリング１５を構成する材料で溶融したもの（図１０や図１１の黒色で表示）を流し込んで形成する場合には、通路部１７を設けないキャップと略同じ形状の金型を流用することが出来る。
【００６９】
また、酸素検知剤１７ｃの色が変化した時に、酸素検知剤１７ｃ以外の物の色との差異を視認しやすくするために、蓋部１７ｄの周囲（キャップ本体１１の上面や表示室１７ｂの上面）は、キャップ本体１１とリング１５との連結部１３を介した接続状態が解除された後における、蓋部１７ｄを介して見える酸素検知剤１７ｃの色に比べて、キャップ本体１１とリング１５との連結部１３を介した接続状態が解除される前における、蓋部１７ｄを介して見える酸素検知剤１７ｃの色に近いことが望ましい。例えば、キャップ本体１１の上面（蓋部１７ｄの周囲）を、第１状態における酸素検知剤１７ｃとほぼ同じ色にする。
【００７０】
また、蓋部１７ｄは、図１などに示すように、丸形形状など、キャップの開閉状態と関連しない形状であってもよいが、開封済みであることを示す文字（例えば、“開”の文字）や記号の形状を有する形態であってもよい。この場合、色だけでなく、文字でも開封済みであることを視認することが可能になる。また、開封済であること以外に、懸賞に当選したか否かを示す文字であってもよい。
【００７１】
また、酸素濃度に応じて色が変化する酸素検知剤１７ｃに代えて、他の物質の濃度に応じて色が変化する検知部材を用いる形態であってもよい。この場合、通路部１７の封止の解除前と解除後とで検知部材で検知する物質の濃度が大きく変化するように、検知部材を表示室１７ｂに固定（又は載置）する工程や、蓋部１７ｄを表示室１７ｂに取り付ける工程における通路部１７に充填する気体を考慮する（真空状態であってもよい）。
【００７２】
また、中間部１７ａ３の破断により、通路部１７の脚部１７ａの上部１７ａ１や表示室１７ｂに空気が流れ、表示室１７ｂ内の酸素検知剤１７ｃの色が変化する様子を、蓋部１７ｄを介して視認することで、キャップ１０が開封済みか否かを知らせる形態を説明したが、キャップ１０の開封済みか否かを知らせる方法は、酸素検知剤１７ｃなどの化学反応によるものに限らず、脚部１７ａの中間部１７ａ３の破断により、状態（色若しくは形状）が変化する検知部材を用いる形態であってもよい。
【００７３】
例えば、弾力性がある紐状部材（弾性部材）１７ｅを通路部１７に取り付ける形態が考えられる（図１８〜図２０参照）。具体的には、表示室１７ｂ（若しくは脚部１７ａの上部１７ａ１）に紐状部材１７ｅの一方の端部を固定し、伸ばした状態で、他方の端部を脚部１７ａの下部１７ａ２に固定する。下部１７ａ２での固定は、中間部１７ａ３の絞り部分に掛け止めする形態でもよい。ここでいう紐状部材１７ｅの紐は、糸のように細いものも含む。中間部１７ａ３を破断する際に、紐状部材１７ｅも、当該破断部分近傍で破断するか、下部１７ａ２から抜け、紐状部材１７ｅのほとんどは、収縮し、縮んだ状態で表示室１７ｂ（若しくは上部１７ａ１）の固定された端部近傍に集まる。このため、表示室１７ｂに縮んだ状態の紐状部材１７ｅがあれば開封済みであることが分かり、伸びた状態の紐状部材１７ｅがあれば開封前であることが分かる。伸ばした状態で、端部が通路部１７に固定される形態であれば、１本の紐状部材１７ｅが、２つの脚部１７ａにまたがって固定される形態であってもよい。
【００７４】
検知部材に化学反応があったか否かで、開封済みか否かを判断する形態に比べて、劣化による誤動作（未開封なのに変色する）可能性が低いメリットがある。
【００７５】
紐状部材１７ｅを構成する弾性部材が、フッ素ゴムなど耐熱性が高い素材を用いた場合には、紐状部材１７ｅを内部に取り付けた通路部１７（蓋部１７ｄを除く）を第１金型３１〜第４金型３４で囲まれた空間で金型のいずれかに取り付けた状態で、キャップ本体１１や連結部１３やリング１５を構成する材料で溶融したものを流し込んで形成される形態で、キャップ１０を形成することが出来る。
【００７６】
また更に、当該紐状部材１７ｅを覆う皮膜部材を脚部１７ａとすることも出来る。例えば、ガラスやシリカやアルミナや紙などの耐熱性が高い素材を薄板状（若しくはテープ状）にしたものを脚部１７ａとして、紐状部材１７ｅを覆う形態が考えられる。検知部材（紐状部材１７ｅ）を被覆するだけで、通路部１７の脚部１７ａを形成することが可能になる。
【００７７】
特に、紙を用いた場合には、紐状部材１７ｅを覆う状態で漉いた紙状部材で脚部１７ａを構成する、具体的には、紐状部材１７ｅを覆うように紙料を流し込み、紐状部材１７ｅの周りに紙層を形成し、当該紙層を脚部１７ａとすることで、容易に検知部材と脚部１７ａを形成することが出来る（図２４参照）。
【００７８】
耐熱性が低い素材を紐状部材１７ｅとして用いた場合には、通路部１７を取り付けない状態で、キャップ本体１１と連結部１３とリング１５を射出成形などで形成し、形成後に通路部１７をはめ込みなどによって取り付けるのが望ましい。
【００７９】
また、紐状部材１７ｅは、フッ素ゴムやシリコンなど弾力性があるもので構成される形態に限らず、繊維を束ねたもので構成され、伸び縮みが殆ど無いものであってもよい。この場合は、中間部１７ａ３の破断により、紐状部材１７ｅも、当該破断部分近傍で破断するか、下部１７ａ２から抜け、紐状部材１７ｅの一部が、中間部１７ａ３から露出することになり、露出した紐状部材１７ｅの存在で、開封済みであることが分かる。
【００８０】
第１実施形態では、別体で内部に通路が形成された第２部材（通路部１７）を第１部材（キャップ本体１１など）に設ける形態を説明したが、内部に通路が形成されない第２部材（カバー１８）を第１部材（キャップ本体１１など）に取り付け、第１部材と第２部材との間に通路部を形成する形態であってもよい（第２実施形態）。
【００８１】
具体的には、キャップ本体１１の側面や上面に、溝を形成し、カバー１８がキャップ本体１１の側面と上面及びリング１５の一部を覆う。カバー１８とキャップ本体１１の間の溝が通路部１７（脚部１７ａや表示室１７ｂ）を形成する。溝は、キャップ本体１１の外側（側面や上面）に設けられる形態に限らず、カバー１８の内側（側面や上面）に設けられる形態であってもよい。カバー１８は、取り付け時に嵌め殺しでキャップ本体１１などと係合するような係合部材（不図示）を有する。第１部材（キャップ本体１１とリング１５）、及び第２部材（カバー１８）は、それぞれ射出成形などで形成される。
【００８２】
キャップ本体１１の溝であって、表示室１７ｂ（若しくは脚部１７ａの上部１７ａ１）を形成する部分に紐状部材１７ｅの一方の端部を固定し、伸ばした状態で、紐状部材１７ｅの他方の端部を脚部１７ａの下部１７ａ２を形成する部分に固定する。中間部１７ａ３を破断する際に、紐状部材１７ｅも、当該破断部分近傍で破断するか、下部１７ａ２から抜け、紐状部材１７ｅのほとんどは、収縮し、縮んだ状態で表示室１７ｂ（若しくは上部１７ａ１）の固定された端部近傍に集まる。このため、表示室１７ｂに縮んだ状態の紐状部材１７ｅがあれば開封済みであることが分かり、伸びた状態の紐状部材１７ｅがあれば開封前であることが分かる。伸ばした状態で、端部が通路部１７に固定される形態であれば、１本の紐状部材１７ｅが、２つの脚部１７ａにまたがって固定される形態であってもよい。
【００８３】
また、カバー１８によって、キャップ本体１１や連結部１３やリング１５を覆い、カバー１８と、キャップ本体１１や連結部１３やリング１５との間に封止状態の通路部１７を形成した場合には、検知部材として、酸素検知剤１７ｃなど、自身と接触する空気に含まれる特定の物質の濃度に応じて色が変化するものを用いることも出来る。
【００８４】
また、カバー１８が内側の検知部材（酸素検知剤１７ｃや紐状部材１７ｅ）が見える程度の透過性を有する場合には、カバー１８から検知部材の状態変化（酸素検知剤１７ｃの色変化や、紐状部材１７ｅの収縮度合い）が確認出来るため、表示室１７ｂの上面の窓（蓋部１７ｄ）を省略することも出来る。図２１〜図２３は、蓋部１７ｄを省略した形態を示す。さらに、通路部１７は、表示室１７ｂを省略し、脚部１７ａ同士を結合させた形状であってもよい。
【符号の説明】
【００８５】
１０  キャップ
１１  キャップ本体
１１ａ  内ネジ部
１３  連結部
１５  リング
１５ａ  係止フラップ
１７  通路部
１７ａ  脚部
１７ａ１  脚部の上部
１７ａ２  脚部の下部
１７ａ３  脚部の中間部
１７ｂ  表示室
１７ｃ  酸素検知剤
１７ｄ  蓋部
１７ｄ１  蓋部の突起部
１７ｅ  紐状部材
１８  カバー
３１〜３４  第１金型〜第４金型
５０  抽出口
５１  外ネジ部
５３  リブ
【図１】
0005828988.tif 000002
【図２】
0005828988.tif 000003
【図３】
0005828988.tif 000004
【図４】
0005828988.tif 000005
【図５】
0005828988.tif 000006
【図６】
0005828988.tif 000007
【図７】
0005828988.tif 000008
【図８】
0005828988.tif 000009
【図９】
0005828988.tif 000010
【図１０】
0005828988.tif 000011
【図１１】
0005828988.tif 000012
【図１２】
0005828988.tif 000013
【図１３】
0005828988.tif 000014
【図１４】
0005828988.tif 000015
【図１５】
0005828988.tif 000016
【図１６】
0005828988.tif 000017
【図１７】
0005828988.tif 000018
【図１８】
0005828988.tif 000019
【図１９】
0005828988.tif 000020
【図２０】
0005828988.tif 000021
【図２１】
0005828988.tif 000022
【図２２】
0005828988.tif 000023
【図２３】
0005828988.tif 000024
【図２４】
0005828988.tif 000025